(57)【特許請求の範囲】
【請求項１】
負荷たるランプと、ランプの点灯状態を制御する負荷制御部と、人体検知の情報を受信する無線信号受信部とを備えた複数の照明器具と、
近傍の人体の有無を検出する人体検知センサと、人体検知の情報を無線信号により送信する無線信号送信部とを備えた少なくとも１つ以上の人体検知装置とによって構成され、
前記照明器具は、特定の１つ以上の人体検知装置からの人体検知の無線信号の受信時にランプを点灯制御する照明システムにおいて、
複数の照明器具は、１つ以上の照明器具を含む複数のグループに分割され、照明器具が並んでいる順番にグループ番号を付加し、人体検知によりランプを点灯した照明器具の属するグループ番号に対して一つ小さいあるいは大きいグループ番号に属する照明器具のランプを点灯制御し、
各照明器具はタイマ部を備え、人体検知に対応して点灯を開始し、タイマ部で計測される所定の期間にわたりランプの点灯を維持するとともに、人体検知の度にタイマ部における所定の期間の計測を再開し、且つ、
各照明器具は、同一グループの照明器具における人体検知によって点灯を開始した場合、あるいは、同一グループの照明器具における人体検知によって点灯維持する期間を延長した場合は、グループ番号の一つ小さいあるいは大きい照明器具における人体検知による点灯維持する期間の延長を行わないことを特徴とする照明システム。
【請求項２】
負荷たるランプと、ランプの点灯状態を制御する負荷制御部と、器具近傍の人体の有無を検出する人体検知センサと、人体検知の情報を無線信号により送信する無線信号送信部とを備えてなる複数の照明器具によって構成され、
複数の照明器具が前記無線信号を受信する無線信号受信部を備え、１つ以上の特定の器具からの人体検知の無線信号の受信時に負荷制御部がランプの点灯状態を制御する照明システムにおいて、
複数の照明器具は、１つ以上の照明器具を含む複数のグループに分割され、照明器具が並んでいる順番にグループ番号を付加し、人体検知によりランプを点灯した照明器具の属するグループ番号に対して一つ小さいあるいは大きいグループ番号に属する照明器具のランプを点灯制御し、
各照明器具はタイマ部を備え、人体検知に対応して点灯を開始し、タイマ部で計測される所定の期間にわたりランプの点灯を維持するとともに、人体検知の度にタイマ部における所定の期間の計測を再開し、且つ、
各照明器具は、同一グループの照明器具における人体検知によって点灯を開始した場合、あるいは、同一グループの照明器具における人体検知によって点灯維持する期間を延長した場合は、グループ番号の一つ小さいあるいは大きい照明器具における人体検知による点灯維持する期間の延長を行わないことを特徴とする照明システム。
【請求項３】
負荷たるランプと、点灯制御の無線信号を受信する無線信号受信部と、受信した点灯制御の信号に基づきランプの点灯状態を制御する負荷制御部とを備える複数の照明器具と、
近傍の人体の有無を検出する人体検知センサと、人体検知の情報を無線信号により送信する無線信号送信部とを備える少なくとも１つ以上の人体検知装置と、
人体検知の情報の無線信号を受信する無線信号受信部と、点灯制御の無線信号を送信する無線信号送信部と、人体検知センサ毎に対応するランプを記憶する記憶部とを備えてなるシステム制御装置とによって構成され、
システム制御装置の無線信号送信部は、無線信号受信部が検知情報を受信した際に、記憶部に格納したデータに基づき対応するランプを備える照明器具に対して点灯制御の無線信号を送信する照明システムにおいて、
複数の照明器具は、１つ以上の照明器具を含む複数のグループに分割され、照明器具が並んでいる順番にグループ番号を付加し、人体検知によりランプを点灯した照明器具の属するグループ番号に対して一つ小さいあるいは大きいグループ番号に属する照明器具のランプを点灯制御し、
各照明器具はタイマ部を備え、人体検知に対応して点灯を開始し、タイマ部で計測される所定の期間にわたりランプの点灯を維持するとともに、人体検知の度にタイマ部における所定の期間の計測を再開し、且つ、
各照明器具は、同一グループの照明器具における人体検知によって点灯を開始した場合、あるいは、同一グループの照明器具における人体検知によって点灯維持する期間を延長した場合は、グループ番号の一つ小さいあるいは大きい照明器具における人体検知による点灯維持する期間の延長を行わないことを特徴とする照明システム。
【請求項４】
屋内と屋外にそれぞれ少なくとも１台以上の照明器具が配置されていることを特徴とする請求項１〜３のいずれかに記載の照明システム。
【請求項５】
人体検知の情報の無線信号を受信する無線信号受信部と、受信した人体検知の情報に対応した表示を行う表示部とを備えた検知状態表示部を有することを特徴とする請求項１〜４のいずれかに記載の照明システム。
【請求項６】
人体検知の情報の無線信号を受信する無線信号受信部と、受信した人体検知の情報を蓄積する記憶手段とを備えた検知状態記憶部を有することを特徴とする請求項１〜５のいずれかに記載の照明システム。
【請求項７】
周囲照度を検出する明るさセンサと、周囲照度の情報を無線信号により送信する無線信号送信部とを備えた照明器具あるいは明るさセンサ子器を備え、検出された照度情報に基づいて、周囲照度が所定値以上のときはランプの点灯を禁止したことを特徴とする請求項１〜６のいずれかに記載の照明システム。
【請求項８】
請求項７の照明システムにおいて、周囲照度の情報の無線信号による送信を周期的に行うように構成し、各照明器具は前記周期よりも長い所定の期間、周囲照度の情報を受信しない場合にはランプ点灯の禁止を解除することを特徴とする照明システム。
【請求項９】
請求項１〜８のいずれかに記載の照明システムにおいて、少なくとも照明器具には固有の識別番号が付与されており、無線信号には送信器具の識別番号及び／あるいは受信器具の識別番号のデータが付加されていることを特徴とする照明システム。
【請求項１０】
無線信号受信部と、無線信号送信部と、自身の識別番号設定部と、通信相手の識別番号を記憶する記憶部とを備える機器が複数あり、相互に通信を行う照明システムであって、２台の機器間で、自己の識別番号を相手方の機器に記憶させるために、第１の機器は第１のトリガ手段により第１の識別番号を無線信号にて送信し、第２の機器は第２のトリガ手段により前記無線信号を受信可能なモードに入り、受信した識別番号を記憶することによって、第１の機器の識別番号を登録することを特徴とする請求項９記載の照明システム。
【請求項１１】
第１のトリガ手段または第２のトリガ手段のいずれかがスイッチであることを特徴とする請求項１０記載の照明システム。
【請求項１２】
第１のトリガ手段または第２のトリガ手段が機器の電源が投入されることであることを特徴とする請求項１０記載の照明システム。
【発明の詳細な説明】
【０００１】
【発明の属する技術分野】
本発明は多箇所での人体検知により複数の照明を連動制御する照明システムに関するものである。
【０００２】
【従来の技術】
従来の照明装置の概要を図面を用いて説明する。図２０は照明器具と人体検知装置が伝送線によってつながれている照明システムの構成を示している。図中、ａ，ｂ，ｃは照明器具、Ｓは人体検知装置である。照明器具ａ，ｂ，ｃは、それぞれ信号伝送線Ｌに接続された信号送受信部と、照明制御回路１４、人体検知センサＮ１，Ｎ２，Ｎ３およびランプ１５で構成されている。また、人体検知装置Ｓは、信号伝送線Ｌに接続された信号送受信部と、センサ制御回路１３および人体検知センサＮ４で構成されている。照明器具ａ，ｂ，ｃないしは人体検知装置Ｓが周囲の人体を検出すると、信号伝送線Ｌを介して、システム内の機器に検知情報が伝達される。各機器は人体検知の情報を受け取ることによって、例えば隣接する照明器具あるいは人体検知装置からの人検知情報に対して、ランプを点灯するように、あるいは、すべての人体検知情報に対して、ランプを点灯するように照明制御回路１４が働く。
【０００３】
図２１はシステム制御装置がシステム内に存在する例である。システム制御装置Ｘは、信号伝送線Ｌに接続された信号送受信部と、システム制御回路１６で構成されている。人体検知情報はいったんシステム制御装置Ｘに入り、検知したセンサに応じて点灯させるランプをシステム制御回路１６にて判断し、対応する器具に対して、点灯制御情報を送出するものである。
【０００４】
上述のシステムは、信号伝送線によって各機器を接続する必要があり、施工時の工数が増える、配線が煩雑になるため間違いやすい、システム制御装置の処理能力が高い必要がある、などの問題点を抱える。
【０００５】
また、図２２には人体検知装置Ｓと照明器具ａの間を信号伝送線ではなく、無線による伝送手段として、赤外線を用いたものを示す。人体検知装置Ｓは、赤外線信号を送信する赤外線信号送信部２３と、センサ制御回路１３および人体検知センサＮ１で構成されており、人体を検出した際に、赤外線搬送によって検知情報を照明器具ａに伝送するものである。信号伝送線は不要となるが、光であるため、壁など光を遮るものがあると搬送波が伝達されない。また、１０ｍを超えるような長距離の伝送ともなると赤外線の出力を上げる必要があり、特に人体検知装置Ｓの電池などでの駆動を考えた場合、電池寿命が短くなるなどの問題が出てくる。
【０００６】
【発明が解決しようとする課題】
本発明は、上述したような従来の技術の問題点に鑑みてなされたものであり、離れた場所での人体検知により複数の照明を連動制御する照明システムにおいて、施工が容易で、壁などの遮蔽物ごしのデータ伝送が可能で、長距離での通信にも対応できるようにすることを課題としている。
【０００７】
【課題を解決するための手段】
本発明の照明システムによれば、上記の課題を解決するために、図１に示すように、負荷たるランプ１５と、ランプの点灯状態を制御する照明制御回路１４と、人体検知の情報を受信する無線信号受信部１２とを備えた複数の照明器具ｂ，ｃと、近傍の人体の有無を検出する人体検知センサＮ１と、人体検知の情報を無線信号により送信する無線信号送信部１１とを備えた少なくとも１つ以上の人体検知装置Ｓとによって構成され、前記照明器具ｂ，ｃは、特定の１つ以上の人体検知装置Ｓからの人体検知の無線信号の受信時にランプ１５を点灯制御する照明システムにおいて、複数の照明器具は、１つ以上の照明器具を含む複数のグループに分割され、照明器具が並んでいる順番にグループ番号を付加し、人体検知によりランプを点灯した照明器具の属するグループ番号に対して一つ小さいあるいは大きいグループ番号に属する照明器具のランプを点灯制御し、各照明器具はタイマ部を備え、人体検知に対応して点灯を開始し、タイマ部で計測される所定の期間にわたりランプの点灯を維持するとともに、人体検知の度にタイマ部における所定の期間の計測を再開し、且つ、各照明器具は、同一グループの照明器具における人体検知によって点灯を開始した場合、あるいは、同一グループの照明器具における人体検知によって点灯維持する期間を延長した場合は、グループ番号の一つ小さいあるいは大きい照明器具における人体検知による点灯維持する期間の延長を行わないことを特徴とするものである。
【０００８】
【発明の実施の形態】
（実施の形態１）
図１に本発明の実施の形態１のシステム構成を示す。また、本システムの動作を図２にタイミングチャートで示す。３台の照明器具ａ，ｂ，ｃと１台の人体検知装置Ｓがある。各照明器具ａ，ｂ，ｃはランプ１５と照明制御回路１４を備えている。人体検知装置Ｓは人体検知センサＮ１とセンサ制御回路１３を備えている。１つの照明器具ａは人体検知センサＮ２を備えている。照明器具ａと人体検知装置Ｓにはそれぞれ無線信号送信部１１が設けられており、これにより情報を電波で伝送する。照明器具ｂ，ｃにはそれぞれ無線信号受信部１２があり、上述の送信された無線信号を受信できる。人体検知装置Ｓで人体を検知すると、人体検知装置Ｓから検知情報ｎ１が送出される。照明器具ｂ，ｃはこれを受信する。このとき、照明器具ｂは検知情報ｎ１に対し、ランプ１５を点灯するものとしている。したがって、照明器具ｂはランプ１５の点灯を開始し、照明器具ｃは消灯したままである。同様に、照明器具ａで人体を検知した場合は、検知情報ｎ２が送出され、これを受信した照明器具ｃはランプ１５の点灯を開始する。これら検知情報と照明器具の対応はこれに限ったものではない。
【０００９】
所定期間Ｔの終了後、ランプを消灯するものとするが、図中にあるように、Ｔの期間中に再度検知情報を受信した際はそこから期間Ｔの計測を開始するようにしている。この制御は照明制御回路１４に内蔵されたタイマ部で行なう。以下の実施の形態でも同様に、定常状態では消灯しており、点灯開始のトリガにより期間Ｔの間はランプを点灯し、再度点灯開始のトリガにより期間Ｔの計測を再開するといった点灯方式をとっているが、点灯開始のトリガにより期間Ｔの間は調光点灯する方式でもよく、また定常状態を消灯ではなく調光点灯としてもよい。また、器具ごとに期間Ｔを別々の値としてもよい。さらにまた、期間Ｔを設定せず、検知情報によって点灯を開始するだけでもよく、また次の検知情報によって点灯状態を変更するというものでもよい。
【００１０】
（実施の形態２）
図３に本発明の実施の形態２のシステム構成を示す。また、本システムの動作を図４にタイミングチャートで示す。４台の照明器具ａ，ｂ，ｃ，ｄがあり、それぞれの器具には人体検知センサＮ１，Ｎ２，Ｎ３，Ｎ４と無線信号送受信部１０が設けられている。これにより情報を電波で伝送する。照明器具ａで人体を検知すると実施の形態１と同様、検知情報ｎ１が送出される。送出後、照明器具ａは自身のランプを点灯開始する。また、各器具ｂ，ｃ，ｄは検知情報ｎ１を受信するが、これに対応してランプを点灯させる器具は照明器具ｂとしており、照明器具ａと同じくランプの点灯を開始する。照明器具ｃ，ｄは消灯を維持する。また、引き続き照明器具ｂで人体を検知した場合に、同様に検知情報ｎ２を送出するが、これに対して点灯を開始させる器具は照明器具ａとなっており、照明器具ａ，ｂが点灯を開始し、照明器具ｃ，ｄは依然消灯としている。これら検知情報と照明器具の対応はこれに限ったものではない。
【００１１】
（実施の形態３）
図５に本発明の実施の形態３のシステム構成を示す。また、本システムの動作を図６にタイミングチャートで示す。３台の照明器具ａ，ｂ，ｃと１台のシステム制御装置Ｘがある。それぞれの照明器具ａ，ｂ，ｃには人体検知センサＮ１，Ｎ２，Ｎ３と無線信号送受信部１０が設けられている。これにより情報を電波で伝送する。照明器具ａで人体を検知すると、実施の形態１，２では、検知情報を各照明器具が受信して直接点灯するように制御されているが、この実施の形態３では一旦システム制御装置Ｘに検知情報が入り、そこから点灯制御データとして無線信号を送信して点灯する。
【００１２】
照明器具ａで人体を検知すると実施の形態１と同様、検知情報ｎ１が送出される。システム制御装置Ｘがこれを受信し、検知情報ｎ１に対応する照明器具である、照明器具ａ，ｂに対する点灯制御データｄ１を送出する。点灯制御データは、「器具ａ，ｂ＝点灯、それ以外＝消灯」のように、点灯状態の指示を行うものであってもよいし、「器具ａ，ｂ＝５０％、それ以外＝０％」のように、調光比などのデータであってもよい。また、検知情報ｎ２については、システム制御装置Ｘがこれを受信すると、点灯制御データｄ２を送出する。検知情報ｎ２に対応する器具は、ここでは照明器具ｂのみとしている。これら検知情報と照明器具の対応はこれに限ったものではない。
【００１３】
（実施の形態４）
図７に本発明の実施の形態４のシステム構成を示す。また、本システムの動作を図８にタイミングチャートで示す。６台の照明器具ａ，ｂ，ｃ，ｄ，ｅ，ｆがある。各照明器具は、それぞれ人体検知センサａＮ，ｂＮ，ｃＮ，ｄＮ，ｅＮ，ｆＮと、無線信号送受信部１０、照明制御回路１４およびランプ１５を備えている。照明器具ａ，ｂがグループ１、照明器具ｃ，ｄがグループ２、照明器具ｅがグループ３、照明器具ｆがグループ４とする。グループ１内の器具ａまたはｂが人体を検知すると、それぞれの人体検知センサａＮ，ｂＮに対応する検知情報を出力する。各器具ａ〜ｆがこれを受信するが、グループ１の器具ａ，ｂに加え、グループ２の器具ｃ，ｄが点灯を開始する。グループ２内の器具ｃ，ｄが人体を検知すると、グループ２の器具ｃ，ｄに加え、グループ３の器具ｅが点灯を開始する。こういった形で、器具ａから順番に器具ｆに向かって人体が移動していく場合に移動する方向の一つ先のグループの器具が点灯するという形となる。たとえば、人の移動する方向に器具が並んでいる場合に、進行方向の器具が点灯することにより、安全性が確保され、また進む方向を誘導するといった利点がある。システム構成自体はこれに限らず、実施の形態１や２で示したものでもよく、点灯開始のトリガを本実施の形態のものとすることに特徴を持つ。
【００１４】
（実施の形態５）
図９に本発明の実施の形態５の動作をタイミングチャートで示す。システムの構成は図７と同様であり、６台の照明器具ａ，ｂ，ｃ，ｄ，ｅ，ｆのうち、照明器具ａ，ｂがグループ１、照明器具ｃ，ｄがグループ２、照明器具ｅがグループ３、照明器具ｆがグループ４とする。それぞれの照明器具ａ，ｂ，ｃ，ｄ，ｅ，ｆに点灯を開始してから点灯を維持する期間Ｔａ，Ｔｂ，Ｔｃ，Ｔｄ，Ｔｅ，Ｔｆを個別に設定してあり、この間に、同一グループ内あるいは一つ小さい番号のグループの検知情報を受信した場合に点灯維持の期間を延長するように動作するものである。
【００１５】
（実施の形態６）
図１０に本発明の実施の形態６の動作をタイミングチャートで示す。システムの構成は図７と同様であり、６台の照明器具ａ，ｂ，ｃ，ｄ，ｅ，ｆのうち、照明器具ａ，ｂがグループ１、照明器具ｃ，ｄがグループ２、照明器具ｅがグループ３、照明器具ｆがグループ４とする。それぞれの照明器具ａ，ｂ，ｃ，ｄ，ｅ，ｆに点灯を開始してから点灯を維持する期間Ｔａ，Ｔｂ，Ｔｃ，Ｔｄ，Ｔｅ，Ｔｆを個別に設定してある。実施の形態５と同様、同一グループあるいは一つ小さい番号のグループの検知情報を点灯開始のトリガとするものであるが、同一グループのトリガによって点灯期間のカウントを開始した場合には一つ手前のグループの検知情報による点灯期間の延長を禁止するものである。これにより、実施の形態５と逆の方向に人体が移動することを考えた場合に、進行方向と反対側の器具を無駄に点灯することを防ぐことができる。
【００１６】
（実施の形態７）
図１１に本発明の実施の形態７の構成を示す。また、本実施の形態の動作を図１２にタイミングチャートで示す。本実施の形態は実施の形態６のシステムを住宅に用いる例である。屋内と屋外に器具が存在し、この間を電波による無線通信でデータの送受を行うものである。屋外にはグループ１としてアプローチ灯、グループ２としてポーチ灯があり、屋内にはグループ３として内玄関灯がある。人体が屋内に向かって移動中はその進行方向の器具が点灯し、安全を確保するとともに、たとえば、不審者などがポーチ灯付近へ接近してきたことを内玄関灯を点灯させることにより屋内の人物へ知らせることができ、また不審者ヘの威嚇にもなり、防犯用途も備える。また、屋内から屋外ヘ出て行く方向ヘの移動の際は、屋内の器具を無駄に長く点灯させることもなく省電力である。
【００１７】
（実施の形態８）
図１３に本発明の実施の形態８のシステム構成を示す。３台の照明器具ａ，ｂ，ｃと１台のシステム制御装置Ｘがある。システム制御装置Ｘは図１４に示すような表示部１７を備えており、例えば屋内に配置されている。表示部１７はランプ、ＬＥＤ、ＬＣＤ、ＣＲＴなど適宜の表示手段で構成されるものとする。表示部１７において、各照明器具ａ，ｂ，ｃの点灯状態や人体の検知状態、周囲照度などを表示することにより、屋内から屋外の様子を監視することができる。また、同時に検知状態などを時刻とともに記録するなどの手段により、来訪者の数、不審者の接近などを記録することができ、不審者の接近などを検出し、防犯等に役立つ。
【００１８】
（実施の形態９）
図１５に本発明の実施の形態９のシステム構成を示す。また、本システムの動作を図１６にタイミングチャートで示す。屋内と屋外に器具が存在し、この間を電波による無線通信でデータの送受を行うものである。屋外にはグループ１としてアプローチ灯、グループ２としてポーチ灯があり、屋内にはグループ３として内玄関灯がある。周囲照度を検出する明るさセンサ１８を照明器具に備え、周囲が明るいときはランプの点灯を行わないものとする。周囲照度の情報は明るさセンサ１８を有する器具が常時所定間隔ですべての器具、あるいは、システム制御装置に対して送信するといった手法を用いる。また、所定間隔の周囲照度の情報信号の喪失時は、センサを有する機器の故障、不動作との判断により、ランプを点灯させるものとしてもよい。
【００１９】
（実施の形態１０）
図１７および図１８に本発明の実施の形態１０のシステム構成を示す。照明システムが２つある。これらは別々の場所に設置されており、互いに動作を干渉するものではない。しかし、電波を伝送媒体とするため、システム間の距離が近いと、電波が届いてしまうことも考えられる。そこで、システム内で使用されている機器に固有のＩＤを付与し、そのＩＤに対してのみ制御動作を行うものとしている。各照明システムＡおよびＢはそれぞれ複数の照明器具ａ，ｂ，ｃ，ｄから構成されており、各器具はそれぞれ人体検知センサａＮ，ｂＮ，ｃＮ，ｄＮ、無線信号送受信部１０、照明制御回路１４、ランプ１５を備えている。照明システムＡに属する器具には送信局ＩＤ：０００１，０００２，００１１，００１３が設定されており、照明システムＢに属する器具には受信局ＩＤ：１００１，０１０２，１０１１，００１５が設定されている。照明システムＡでは送信局ＩＤが０００１，０００２，００１１，００１３である器具からの無線信号のみを受信可能とし、照明システムＢでは、受信局ＩＤが１００１，０１０２，１０１１，００１５である無線信号のみを受信するといった形態をとっている。これにより２つのシステムＡ，Ｂ間で電波が届いても互いの動作に干渉することはなくなる。
【００２０】
（実施の形態１１）
図１９に本発明の実施の形態１１のシステム構成を示す。また、本システムの動作手順を表１に示す。２台の器具間で一方の器具から他方の器具にＩＤを記憶させる例である。表１の例では、親機ＩＤを子機に記憶させる動作手順を示している。まず、子機はスイッチなどのトリガにより登録モードへ移行する。一定時間（例えば３０秒）の経過あるいは再度トリガを受けることにより登録モードを解除とする。親機はスイッチなどのトリガを受けることにより、登録コマンドを送出する。このとき、記憶部１９から読み出した親機ＩＤ（例えばＩＤ：０００２）を合わせて送信する。子機はこれを受信して自己の記憶部１９に親機ＩＤを記憶し、登録モードを解除する。このとき、登録完了を明示するため、照明器具のランプを点滅する。なお、トリガ手段は登録スイッチの操作のほか、電源の投入であってもよい。
【００２１】
【表１】
0003846211.tif 000002
無線信号には微弱電波を用いてもよいし、特定小電力無線を用いてもよい。ともに使用者は免許を必要としないので、使用が容易である。また、通信距離に応じて使い分けることが可能であるが、１０ｍ程度の距離であれば微弱電波を、それ以上１００ｍ程度まであるいはそれ以上の距離には特定小電力無線が適する。また、さらに高出力が必要な場合は、その他の電波伝送手段を用いてもよい。
【００２２】
【発明の効果】
本発明によれば、人体検知の情報を無線信号により送信することにより照明器具を点灯制御するものであるから、伝送線の配線が不要であり、施工が容易である。また、配線の間違い等が起きる可能性が低い。さらに、屋内と屋外などのように、壁越しでのデータ伝送が可能となる。また、複数の照明器具は、１つ以上の照明器具を含む複数のグループに分割され、照明器具が並んでいる順番にグループ番号を付加し、人体検知によりランプを点灯した照明器具の属するグループ番号に対して一つ小さいあるいは大きいグループ番号に属する照明器具のランプを点灯制御し、各照明器具はタイマ部を備え、人体検知に対応して点灯を開始し、タイマ部で計測される所定の期間にわたりランプの点灯を維持するとともに、人体検知の度にタイマ部における所定の期間の計測を再開し、且つ、各照明器具は、同一グループの照明器具における人体検知によって点灯を開始した場合、あるいは、同一グループの照明器具における人体検知によって点灯維持する期間を延長した場合は、グループ番号の一つ小さいあるいは大きい照明器具における人体検知による点灯維持する期間の延長を行わないようにしたので、人体が移動することを考えた場合に、進行方向と反対側の器具を無駄に点灯することを防ぐことができ、省電力である。
【図面の簡単な説明】
【図１】本発明の実施の形態１のシステム構成を示す構成図である。
【図２】本発明の実施の形態１の動作説明図である。
【図３】本発明の実施の形態２のシステム構成を示す構成図である。
【図４】本発明の実施の形態２の動作説明図である。
【図５】本発明の実施の形態３のシステム構成を示す構成図である。
【図６】本発明の実施の形態３の動作説明図である。
【図７】本発明の実施の形態４のシステム構成を示す構成図である。
【図８】本発明の実施の形態４の動作説明図である。
【図９】本発明の実施の形態５の動作説明図である。
【図１０】本発明の実施の形態６の動作説明図である。
【図１１】本発明の実施の形態７の構成を示す説明図である。
【図１２】本発明の実施の形態７の動作説明図である。
【図１３】本発明の実施の形態８のシステム構成を示す構成図である。
【図１４】本発明の実施の形態８の表示部の構成を示す正面図である。
【図１５】本発明の実施の形態９の構成を示す説明図である。
【図１６】本発明の実施の形態９の動作説明図である。
【図１７】本発明の実施の形態１０のシステム構成の一部を示す構成図である。
【図１８】本発明の実施の形態１０のシステム構成の他の一部を示す構成図である。
【図１９】本発明の実施の形態１１の構成を示す説明図である。
【図２０】従来例１のシステム構成を示す構成図である。
【図２１】従来例２のシステム構成を示す構成図である。
【図２２】従来例３のシステム構成を示す構成図である。
【符号の説明】
ａ    照明器具
ｂ    照明器具
Ｎ１  人体検知センサ
Ｎ２  人体検知センサ
１１  無線信号送信部
１２  無線信号受信部
１３  センサ制御回路
１４  照明制御回路
１５  ランプ
【図１】
0003846211.tif 000003
【図２】
0003846211.tif 000004
【図３】
0003846211.tif 000005
【図４】
0003846211.tif 000006
【図５】
0003846211.tif 000007
【図６】
0003846211.tif 000008
【図７】
0003846211.tif 000009
【図８】
0003846211.tif 000010
【図９】
0003846211.tif 000011
【図１０】
0003846211.tif 000012
【図１１】
0003846211.tif 000013
【図１２】
0003846211.tif 000014
【図１３】
0003846211.tif 000015
【図１４】
0003846211.tif 000016
【図１５】
0003846211.tif 000017
【図１６】
0003846211.tif 000018
【図１７】
0003846211.tif 000019
【図１８】
0003846211.tif 000020
【図１９】
0003846211.tif 000021
【図２０】
0003846211.tif 000022
【図２１】
0003846211.tif 000023
【図２２】
0003846211.tif 000024